(57)【要約】【課題】ワゴンサービスの呼出しシステムに使用される場合であっても、遊技機で遊技している遊技者と該遊技者に呼び出された担当員の双方にとって景品交換作業が簡便になり景品交換に要する時間を短縮できるようにした遊技機を提供する。【解決手段】球収納容器１０を装着部６１に装着するだけで該装着に連動して排出状態に切り換えることができるので、遊技中の遊技者がワゴンサービス１１を呼びたくなったとき、球収納容器１０を装着部６１に装着することで該球収納容器１０に皿ユニット３２から遊技球Ｂａを投入し、景品交換に必要な所定数の遊技球Ｂａを簡単に取り分けることができる。【選択図】図４
2007190057.tif 000002
【特許請求の範囲】
【請求項１】
遊技機本体に備えた受け皿上に滞留する遊技球を該受け皿から外方に排出し得る遊技球排出路と、
所定数の遊技球を収納する球収納容器を、前記遊技球排出路に連通した状態で前記受け皿に装着する装着部と、
該装着部への前記球収納容器の装着に連動して、前記受け皿上の遊技球を前記遊技球排出路に導く排出状態に切り換え、かつ前記装着部からの前記球収納容器の離脱に連動して、前記受け皿上の遊技球を前記遊技球排出路に導かない非排出状態に切り換える切換え手段と、を備えてなる、
ことを特徴とする遊技機。
【請求項２】
前記球収納容器は、前記装着部に挿入されて一方向に回動したとき該装着部に連結して前記受け皿から前記遊技球排出路を介して遊技球を受け得る状態となり、かつ前記連結した状態で他方向に回動したとき前記装着部から離脱する着脱部を備え、使用されない通常時は前記遊技機本体の近傍に配置されてなる、
請求項１記載の遊技機。
【請求項３】
前記球収納容器は、容器本体の中心軸を中心に旋回するように遊技球進入口から底部に向かって延びる螺旋部を有し、前記遊技球進入口から進入した先頭の遊技球が前記螺旋部を経由して前記底部に到達した状態で最後尾の遊技球が前記遊技球進入口の近傍にあるとき前記所定数となるように構成される、
請求項１又は２記載の遊技機。
【請求項４】
前記球収納容器を前記受け皿に着脱するバヨネット機構を備え、
該バヨネット機構は、前記装着部及び前記球収納容器のいずれか一方に設けられた係合溝と、他方に設けられた係合爪とからなる、
請求項１ないし３のいずれか記載の遊技機。
【発明の詳細な説明】
【技術分野】
【０００１】
本発明は、パチンコ機等の遊技機に係り、詳しくは遊技者によるワゴンサービスの利用向上を図り得る遊技機に関する。
【背景技術】
【０００２】
一般に、パチンコホール等の遊技場では、遊技者に対するサービスの１つとして、遊技中の遊技者がサービス担当員に飲み物やタバコ等を注文すると、その注文に従って担当員が遊技者のもとへ運んで来るというワゴンサービスが知られている（例えば、特許文献１参照）。
【０００３】
上記特許文献１に記載のワゴンサービスのシステムでは、会員カードを利用した貯玉システムを実現するために台端末装置が設けられており、ワゴンサービスを希望する遊技者が、台端末装置のワゴンスイッチを操作してワゴンランプを点灯させると、担当員が、注文入力装置を携帯すると共に、景品が収納されたワゴンを遊技者まで運搬する。そして、注文入力装置に遊技者が希望する景品データを入力すると、注文入力装置が、景品内容を示す注文データを台端末装置に送信することで、台端末装置が、注文データが示す景品に相当する遊技球を貯玉システムの記憶貯玉数から引落し可能かを判断し、可能な場合には、その旨を報知すると共に、注文データを管理装置に出力して決済する。
【０００４】
このような構成により、上記システムでは、パチンコ機それぞれに対応する台端末装置のワゴンスイッチを遊技者が操作すると、ワゴンランプが点灯して、注文入力装置を携帯した担当員を呼ぶことができる。そして、台端末装置にＩＤカードを読込ませることで、台端末装置が、ＩＤカードを使用した遊技客に対応して遊技場用管理システムが記憶している記憶遊技球数内で景品に交換することを許容すると、遊技者が所望の景品を取得することができる。
【０００５】
【特許文献１】特開平９−２７６５１９号公報
【発明の開示】
【発明が解決しようとする課題】
【０００６】
しかし、上記特許文献１に記載のシステムは、遊技者が遊技場所に居ながらにして景品注文を行うことはできるものの、このサービスは、遊技者のＩＤカードから読み取った情報を遊技場用管理システムに通知するように各パチンコ機に設けた台端末装置と、交換対象の景品が指示されたときそれに対応する注文データを送信する注文入力装置と、該注文入力装置からの注文データを受信したとき台端末装置を使用している遊技者の記憶遊技球数から注文データに対応する景品に相当する遊技球数を引落すことが可能か否かを判断する判定手段と、を備える複雑な構成にて実現されている。これにより、システム実現のために多大な経費が必要となり、装置構成も大型化する虞がある。
【０００７】
そこで、上記ワゴンランプの点灯で担当員が遊技者のもとに呼ばれた後、上記ＩＤカードを使用することなく、遊技場で一般的に用いられている計数皿を使って、景品交換に必要な個数の遊技球を計数し、飲料品等の景品と交換するようにすることも考えられる。しかしその場合、上述したような経費の増大を回避できるなどの利点は得られるものの、担当員がその都度、計数皿を使って遊技球数を計数しなければ景品交換することはできず、担当員による作業が煩雑であると共に、遊技者が所望する景品の交換に多大な時間を要するという問題を生じる。
【０００８】
そこで本発明は、上述のようなワゴンサービスの呼出しシステムに使用される場合であっても、遊技機で遊技している遊技者と該遊技者に呼び出された担当員の双方にとって景品交換作業が簡便になり景品交換に要する時間を短縮できるように構成し、もって上記課題を解決した遊技機を提供することを目的とするものである。
【課題を解決するための手段】
【０００９】
請求項１に係る本発明は（例えば図１ないし図７参照）、遊技機本体（２６，２７）に備えた受け皿（３２）上に滞留する遊技球（Ｂａ）を該受け皿（３２）から外方に排出し得る遊技球排出路（６７）と、
所定数（例えば３５個）の遊技球（Ｂａ）を収納する球収納容器（１０）を、前記遊技球排出路（６７）に連通した状態で前記受け皿（３２）に装着する装着部（６１）と、
該装着部（６１）への前記球収納容器（１０）の装着に連動して、前記受け皿（３２）上の遊技球（Ｂａ）を前記遊技球排出路（６７）に導く排出状態に切り換え、かつ前記装着部（６１）からの前記球収納容器（１０）の離脱に連動して、前記受け皿（３２）上の遊技球（Ｂａ）を前記遊技球排出路（６７）に導かない非排出状態に切り換える切換え手段（５９）と、を備えてなる、
ことを特徴とする遊技機（５）にある。
【００１０】
請求項２に係る本発明は（例えば図５ないし図７参照）、前記球収納容器（１０）が、前記装着部（６１）に挿入されて一方向に回動したとき該装着部（６１）に連結して前記受け皿（３２）から前記遊技球排出路（６７）を介して遊技球（Ｂａ）を受け得る状態となり、かつ前記連結した状態で他方向に回動したとき前記装着部（６１）から離脱する着脱部（１７）を備え、使用されない通常時は前記遊技機本体（２６，２７）の近傍に配置されてなる、
請求項１記載の遊技機（５）にある。
【００１１】
請求項３に係る本発明は（例えば図５ないし図７参照）、前記球収納容器（１０）が、容器本体（１０ｃ）の中心軸（１３）を中心に旋回するように遊技球進入口（１０ａ）から底部（１０ｂ）に向かって延びる螺旋部（１５）を有し、前記遊技球進入口（１０ａ）から進入した先頭の遊技球（Ｂａ）が前記螺旋部（１５）を経由して前記底部（１０ｂ）に到達した状態で最後尾の遊技球（Ｂａ）が前記遊技球進入口（１０ａ）の近傍にあるとき前記所定数（例えば３５個）となるように構成される、
請求項１又は２記載の遊技機（５）にある。
【００１２】
請求項４に係る本発明は（例えば図６参照）、前記球収納容器（１０）を前記受け皿（３２）に着脱するバヨネット機構（６４ａ，１７）を備え、
該バヨネット機構は、前記装着部（６１）及び前記球収納容器（１０）のいずれか一方に設けられた係合溝（６４ａ）と、他方に設けられた係合爪（１７）とからなる、
請求項１ないし３のいずれか記載の遊技機（５）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、球収納容器を装着部に装着するだけで該装着に連動して排出状態に切り換えることができるので、遊技機に対座して遊技している遊技者がワゴンサービスを呼びたくなったとき、球収納容器を装着部に装着することで該球収納容器に受け皿から遊技球を投入し、景品交換に必要な所定数の遊技球を簡単に取り分けることができる。このため、遊技者に呼ばれたワゴンサービスの担当員は、球収納容器を遊技者から受け取るだけで、景品交換に必要な所定数の遊技球を容易に取得することができ、従って、遊技者と担当員の双方にとって景品交換作業が簡便になり、景品交換に要する時間を短縮することができる。
【００１５】
請求項２に係る本発明によると、遊技者がワゴンサービスを呼んで景品交換しようと思ったとき、自身が遊技している遊技機の装着部に球収納容器を挿入して一方向に回動させるだけで、受け皿から遊技球排出路を介して遊技球を受け得る状態に極めて簡単に装着することができ、遊技者による景品交換時の作業をより簡便にすることができる。
【００１６】
請求項３に係る本発明によると、球収納容器が、容器本体の中心軸を中心に旋回するように遊技球進入口から底部に向かって延びる螺旋部を有し、遊技球進入口から進入した先頭の遊技球が螺旋部を経由して底部に到達した状態で最後尾の遊技球が遊技球進入口の近傍にあるとき所定数となるように構成されるので、所定数の遊技球の取り分け作業を一層簡単化することができる。
【００１７】
請求項４に係る本発明によると、球収納容器を受け皿に着脱するバヨネット機構が、装着部及び球収納容器のいずれか一方に設けられた係合溝と他方に設けられた係合爪とからなるので、係合溝及び係合爪のいずれかを装着部及び球収納容器にそれぞれ設けるだけで、球収納容器を容易にかつ確実に着脱し得る機構を簡単に実現することができる。
【発明を実施するための最良の形態】
【００１８】
以下、本発明に係る遊技機の実施の形態について、遊技場等に設置されるパチンコ機を例に挙げて図に沿って説明する。
【００１９】
なお、図１は本発明に係るパチンコ機を配備した遊技島設備を示す図であり、（ａ）は遊技島設備全体を示す図、（ｂ）は呼出し表示パネルを示す正面図である。また、図２は球収納容器を装着した状態で示すパチンコ機の正面図、図３は球収納容器を外した状態の皿ユニット及びその近傍を示す正面図、図４は球収納容器を装着した状態の皿ユニット及びその近傍を示す正面図である。図５は球収納容器等を詳細に示す図であり、（ａ）は球収納容器を収容する容器セット部を示す正面断面図、（ｂ）は容器セット部に球収納容器を収容した状態を示す正面断面図、（ｃ）は所定数の遊技球を収容した球収納容器を容器セット部に収容した状態を示す正面断面図である。更に、図６は球収納容器を詳細に示す斜視図、図７は所定数の遊技球を収容した球収納容器を詳細に示す斜視図、図８はワゴンサービス呼出しシステムの変形例を示す図である。
【００２０】
図１に示すように、遊技島設備１は、図の左右方向に延在するランプ板２や幕板３に沿って順次配列された複数（同図では便宜上４台のみ表示）のパチンコ機（遊技機）５を有している。各パチンコ機５は発射ハンドル６を有しており、ランプ板２には、各パチンコ機５にそれぞれ対応して、データ表示器７と、円筒状の容器セット部９と、該容器セット部９に収容（セット）された円筒状の球収納容器１０と、が設けられている。この球収納容器１０は、使用されない通常時には、遊技機本体近傍の容器セット部９に配置される。
【００２１】
ここで、パチンコ機５の構成を図２に沿って詳細に説明する。すなわち、パチンコ機５は、同図に示すように、発射ハンドル６の操作による発射装置（図示せず）の作動で遊技球（所謂パチンコ玉）を遊技盤２４の遊技領域２４ａに向かって打ち出しつつ遊技を行うもので、大当たりが発生した状態でアタッカー４４に入球した遊技球に対応する数の遊技球を払い出すように構成されている。
【００２２】
本パチンコ機５は、開口を有する枠体状の筐体２６と、遊技盤２４を支持した形で筐体２６に開閉可能に支持された前扉２７とを有しており、前扉２７の前面には、透明ガラス２９を有するガラス枠３０が、前扉２７の遊技盤保持枠（図示せず）に対して開閉可能に取り付けられている。透明ガラス２９の奥側には、遊技盤２４が配設されている。前扉２７における遊技盤２４の左右には演出用照明装置３１が配設されており、前扉２７における上部左右、及び下部の皿ユニット３２の左右には、スピーカー（図示せず）を有する放音装置３３がそれぞれ配設されている。そして、前扉２７の上部における放音装置３３の間には、演出用照明装置３４が配設されている。
【００２３】
また、ガラス枠３０における中央部右方には、前扉２７を筐体２６側に施錠又は解放し、或いは、ガラス枠３０を前扉２７側に施錠又は解放するための施錠装置３５が配設されている。なお、図中の符号３６は、打ち出された遊技球Ｂａを遊技盤２４側に案内するガイドレールを示している。本パチンコ機５には、遊技中に遊技領域２４ａにて入賞することなく落下してアウト口（図示せず）に進入した遊技球Ｂａをパチンコ機５の背面側に導くアウト球通路（図示せず）が設けられている。
【００２４】
そして、前扉２７における下部中央には皿ユニット３２が設けられており、皿ユニット３２における右上部には、賞球及び貸球を含む遊技球Ｂａが供給される球供給口３７が設けられ、皿ユニット３２における右上部壁面には、球貸ボタン３８ａ及びプリペイドカード返却ボタン３８ｂが設けられている。皿ユニット３２の中央左部には、該皿ユニット３２上の遊技球Ｂａを発射装置付近から皿ユニット下部の球排出口６０（図３及び図４参照）を通して下方に排出するための第１球抜きボタン３９ａが配設されており、皿ユニット３２の中央下部には、皿ユニット３２上の遊技球Ｂａを球供給口３７付近から上記球排出口を通して下方に排出するための第２球抜きボタン３９ｂが配設されている。なお、上記筐体２６及び前扉２７等により上記遊技機本体が構成されている。
【００２５】
また、前扉２７における皿ユニット３２の右方下部の前壁部４０には、発射装置（図示せず）を操作して遊技球Ｂａを遊技盤２４に向けて打ち出すための発射ハンドル６が設けられている。更に、皿ユニット３２の下部左方には、灰皿４１と遊技者参加ボタン４２とが配設されている。この遊技者参加ボタン４２の左右には、選択ボタン４３ａ，４３ｂがそれぞれ配設されている。
【００２６】
また、遊技領域２４ａの中央部分には、遊技球ステージＳを有するセンター飾り４５が配設されている。センター飾り４５の左右下方には、それぞれ大当たり抽選に寄与しない一般の入賞が行われる入賞口４６，４７が配設されており、センター飾り４５の直下方には、始動チャッカー４８と、アタッカー４４とが順次配設されている。
【００２７】
始動チャッカー４８は、大当たり抽選実行の契機となり得る入賞が行われるもので、開閉動作するように制御される。始動チャッカー４８の直上方には、所謂命釘としての一対の障害釘４９が打ち込まれている。アタッカー４４は、大当たり発生時に開放され、遊技領域２４ａに打ち出されて転動落下する遊技球Ｂａを入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２８】
遊技領域２４ａには、センター飾り４５の四方に風車５０が配設されており、遊技球ステージＳの下方における始動チャッカー４８の左側に、普通図柄作動ゲート（スルーゲート）５１が配設されている。この普通図柄作動ゲート５１は、始動チャッカー４８を開閉動作させるための普通図柄抽選の契機となる遊技球通過が行われる役物である。
【００２９】
遊技領域２４ａにおける普通図柄作動ゲート５１、入賞口４６，４７及び始動チャッカー４８等の周囲には、遊技球ステージＳから零れた遊技球Ｂａや、発射されてから遊技球ステージＳに関与せずに落下してくる遊技球Ｂａを適宜散らし、或いは入球に導くようにするための障害釘５２を含む多数の障害釘が打ち込まれている。
【００３０】
センター飾り４５は、遊技盤２４側に固定された画像表示装置５３を露出する開口５４を中央部に、ワープ導入口５５を左上部に、該ワープ導入口５５に連通する放出口５６を左下部に、遊技球ステージＳを開口５４の下側に、球放出口５７を該ステージＳの中央下部にそれぞれ有している。また、ワープ導入口５５の対向位置には、一対の障害釘５８が打ち込まれている。ワープ導入口５５の周囲や上方側にも、遊技球を適宜散らし、或いは入球に導くようにするための多数の障害釘（図示せず）が打ち込まれている。このような本パチンコ機５では、遊技領域２４ａに打ち出された遊技球Ｂａを始動チャッカー４８等に、遊技球ステージＳを介して入球させ又は該ステージＳを介さず直接入球させ得るように遊技が進められる。
【００３１】
なお、上記「ワープ導入」という語句は、遊技領域２４ａに打ち出された遊技球Ｂａを、当該遊技領域２４ａの比較的下側に位置する不図示の道釘等を経ることなく、始動チャッカー４８の上に導くことを意味する概念である。また、上記「道釘」とは、遊技領域２４ａにおいて始動チャッカー４８左右に打ち込まれた複数本の障害釘（図示せず）の列を意味するもので、上方から転動落下してきた遊技球Ｂａを始動チャッカー４８方向に導く役割を担っている。
【００３２】
また、本実施形態では、上記遊技島設備１に配置された複数のパチンコ機５それぞれに、ワゴンサービス１１を呼び出す呼出し手段を備えている。この呼出し手段は、内方の所定位置まで遊技球Ｂａを入れた状態で所定数（例えば３５個）丁度の個数となるように形成された上記球収納容器１０と、該球収納容器１０をそれぞれセット可能にパチンコ機５に対応して配置された上記容器セット部９と、を備える。
【００３３】
図５に示すように、容器セット部９は、内方が空状態の球収納容器１０がセットされた際にはワゴンサービス１１側の受信器（図示せず）に呼出し信号を送信せず、内方に遊技球Ｂａを収容した状態の球収納容器１０がセットされた際には呼出し信号を送信するように構成される。つまり、この容器セット部９は、容器内の底部に連絡スイッチ１２を有すると共に、容器外の底面に、連絡スイッチ１２のオン時に呼出し信号を送信する送信器２２と、を有している。連絡スイッチ１２は、空状態の球収納容器１０が容器セット部９にセットされた際には図５（ｂ）に示すようにオフ状態を保持し、遊技球収容状態の球収納容器１０が容器セット部９にセットされた際には図５（ｃ）に示すようにオンし得る弾性を備えて構成される。
【００３４】
また、呼出し信号を受信するワゴンサービス１１側には、図１（ｂ）に示す呼出し表示パネル２３が配置されており、この呼出し表示パネル２３は、ワゴンサービスの対象となるパチンコ機５それぞれの台番号を記載した番号記載部２４と、台番号に対応するパチンコ機５からの呼出し信号の有無を点灯表示する呼出し表示部２５と、を有している。同図に示す状態にあっては、３番台、６番台及び８番台がそれぞれ呼出し信号を送信しており、ワゴンサービス１１側に待機している担当員は、これらを目視で確認し、その呼出しに応答して各パチンコ機５に向かう。
【００３５】
上記球収納容器１０は、図５ないし図７に示すように、容器本体１０ｃと、該容器本体１０ｃの中心軸１３を中心に旋回するように遊技球進入口１０ａから底部１０ｂに向かって延びるように配置された螺旋部１５と、を有している。螺旋部１５は、その外周面を容器本体１０ｃの内壁に近接させた状態で、遊技球進入口１０ａと底部１０ｂとの間の円筒状空間に収容されている。そして、球収納容器１０は、遊技球進入口１０ａから進入した先頭の遊技球Ｂａが螺旋部１３を経由して底部１０ｂに到達した状態で最後尾の遊技球Ｂａが遊技球進入口１０ａの近傍にあるとき所定数（例えば３５個）となるように構成されている。
【００３６】
そして、上記球収納容器１０は、所定数（例えば３５個）に満たない個数の遊技球Ｂａの収容状態を目視にて確認可能な透明状に構成されると共に、上記所定数を超える個数の遊技球Ｂａの収容状態では閉止できない蓋体１６を有している。この場合、容器本体１０ｃ及び蓋体１６の双方を透明な合成樹脂（プラスチック）で作製しても、容器本体１０ｃのみを透明な合成樹脂で作製してもよい。
【００３７】
蓋体１６は、略々円板状に形成されて、容器セット部９にセットされた状態では容器本体１０ｃの遊技球進入口１０ａを閉塞するように嵌合されるが、遊技者が使用する際には容器本体１０ｃから一旦外され、所定数の遊技球を容器本体１０ｃ内に投入し終わった後、再び遊技球進入口１０ａを閉塞するように嵌合される。この際、容器本体１０ｃ内の上記所定数を超える個数の遊技球Ｂａが収容されて、遊技球進入口１０ａから溢れているような場合には、蓋体１６は閉止できない。なお、遊技球収納サイズの異なる球収納容器１０を複数種用意すれば、上記所定数を、３０個、３５個、４０個のように、球収納容器１０の種類ごとに設定することができる。
【００３８】
本パチンコ機５は、図３及び図４に示すように、遊技機本体に備えた皿ユニット（受け皿）３２上に滞留する遊技球Ｂａを該皿ユニット３２から外方に排出し得る遊技球排出路６７と、所定数（例えば３５個）の遊技球Ｂａを収納する球収納容器１０を、遊技球排出路６７に連通した状態で皿ユニット３２に装着する装着部６１と、を有している。更に、パチンコ機５は、装着部６１への球収納容器１０の装着に連動して、皿ユニット３２上の遊技球Ｂａを遊技球排出路６７に導く排出状態（図４参照）に切り換え、かつ装着部６１からの球収納容器１０の離脱に連動して、皿ユニット３２上の遊技球Ｂａを遊技球排出路６７に導かない非排出状態（図３参照）に切り換える開閉部材（切換え手段）５９を有している。この開閉部材５９は、常時は図３に示すように遊技球落下孔６５を閉塞しているが、第２球抜きボタン３９ｂが押圧操作された際、及び装着部６１に球収納容器１０が装着された際には、不図示の連動機構を介して皿ユニット３２上面と平行に回動させて遊技球落下孔６５を開放する。
【００３９】
上記遊技球排出路６７は、第２球抜きボタン３９ｂが押圧操作された際に開放する遊技球落下孔６５を、皿ユニット最下部に形成された球排出口６０に連通して、遊技球Ｂａを皿ユニット３２の球供給口３７付近から、皿ユニット３２下方に載置した不図示の賞球箱（所謂ドル箱）に放出する経路である。この遊技球排出路６７の中間部位には装着部６１が設けられており、この装着部６１は、遊技球排出路６７の中間部位に形成されて該移動路６７に連通する貫通孔６２と、該貫通孔６２に遊技球進入口１０ａを合わせた状態に球収納容器１０をセットするための円孔６４と、ヒンジ６６を介して貫通孔６２を開閉し得るように遊技球排出路６７内に支持された蓋体６３と、を有している。なお、上記円孔６４は、図４及び図６に示すように、その内径が容器本体１０ｃの外径より若干大きく形成されている。
【００４０】
パチンコ機５は、球収納容器１０を皿ユニット３２に着脱するバヨネット機構を備えている。このバヨネット機構は、図６に示すように、上記円孔６４の点対称の位置に設けられた一対の係合溝６４ａと、球収納容器１０の上部側の外周面の点対称の位置に設けられた係合爪（着脱部）１７と、から構成される。このため、遊技者が球収納容器１０を装着部６１に挿入し、手に伝わる感触に従って係合爪１７を係合溝６４ａに挿通した後、同図における容器本体１０ｃの周方向の一方（矢印Ａ方向）に回動させると、係合溝６４ａから該係合溝６４ａの無い部位に移動した係合爪１７が装着部６１に連結されると共に、蓋体６３が開放（図４参照）し、かつ上記連動機構を介して遊技球落下孔６５が開放して、球収納容器１０は、皿ユニット３２から遊技球排出路６７を介して遊技球Ｂａを受け得る状態となる。また、連結状態の球収納容器１０を矢印Ａと反対方向に回動させると、係合爪１７が係合溝６４ａから外れることにより、球収納容器１０が装着部６１から離脱する。
【００４１】
なお、本実施の形態では、上記呼出し信号が、遊技島設備１を管理するホールコンピュータを経由することなくワゴンサービス１１に送信されるように構成されるが、これに限らず、図８に示すように、ホールコンピュータ２１を経由してワゴンサービス１１に送信されるように構成することもできる。また、本実施の形態では、各パチンコ機５に対応して装備された各容器セット部９からの呼出し信号を有線を介してワゴンサービス１１に伝達するように構成しているが、これに代えて、無線を介して伝達するように構成することもできる。
【００４２】
次に、本実施の形態による作用について説明する。すなわち、パチンコ機５に対座して遊技している遊技者が、コーヒーやジュース等の飲料品を注文しようとワゴンサービスを呼ぶ場合、まず、パチンコ機５に対応する容器セット部９から球収納容器１０を把持して取り出す。容器セット部９から取り出す前の球収納容器１０は、遊技球が収容されず軽い状態であるため、図５（ｂ）に示すように、連絡スイッチ１２がオフされている。
【００４３】
遊技者が、球供給口３７から皿ユニット３２上に遊技球Ｂａが供給されて滞留した状態で（図３参照）、蓋体１６を取り外した球収納容器１０を装着部６１の円孔６４に挿入して図６の矢印Ａ方向に回動させる。これにより、バヨネット機構を介して球収納容器１０が装着部６１に装着されると共に、蓋体６３がヒンジ６６を中心に回動して遊技球進入口１０ａを遊技球排出路６７内に連通し、かつ開閉部材５９が回動して遊技球落下孔６５を開放する。これにより、皿ユニット３２上の球供給口３７付近に滞留していた複数の遊技球Ｂａが遊技球落下孔６５に落下し、遊技球排出路６７及び貫通孔６２を経由して遊技球進入口１０ａから容器本体１０ｃ内に進入する。
【００４４】
そして、これら遊技球Ｂａは、螺旋部１５の傾斜に沿って中心軸１３を中心に旋回しながら底部１０ｂに向かって落下し、先頭の遊技球が底部１０ｂに当接した時点から螺旋部１５に沿って順次上方に溜まり始める。その後、最後尾の遊技球が遊技球進入口１０ａと略々面一になった頃合いを適宜判断し、容器本体１０ｃを図６の矢印Ａと反対の方向に回動させて円孔６４から取り外す。これにより、蓋体６３が回動して貫通孔６２を閉塞し、かつ開閉部材５９が回動して遊技球落下孔６５を閉塞するため、皿ユニット３２から遊技球落下孔６５に落下しようとする後続の遊技球Ｂａは遮断される。また、蓋体６３の閉塞前に既に遊技球排出路６７内に落下していた遊技球Ｂａは、蓋体６３の閉塞時に該蓋体６３を通過して球排出口６０から賞球箱に落下する。更に、容器本体１０ｃの取り外し時に貫通孔６２内に進入した遊技球Ｂａは、円孔６４からその下方の賞球箱内に落下する。
【００４５】
容器本体１０ｃを装着部６１から外したときに遊技球Ｂａが遊技球進入口１０ａから溢れているような場合、遊技者は、余分な遊技球Ｂａを適宜取り出し、最後尾の遊技球Ｂａが遊技球進入口１０ａと略々面一になっている状態にして、蓋体１６で閉止する。そして、この状態の球収納容器１０を容器セット部９に挿入すると、該セット部底部の連絡スイッチ１２が、所定数の遊技球を収容した球収納容器１０の重量で押下されてオンし（図５(c)参照）、呼出し信号がワゴンサービス１１側に送信される。
【００４６】
これに応答して、ワゴンサービスの担当員が、受信した呼出し信号に対応するパチンコ機５に対座した遊技者のもとに来て、容器セット部９にセットされた球収納容器１０を取り出し、内方の遊技球の状態（即ち、最後尾の遊技球が遊技球進入口１０ａと略々面一になっているか否か）を目視で確かめ、蓋体１６を開けて遊技球を回収した上で、容器セット部９に戻した後、回収した遊技球数で交換が可能な飲料品等を遊技者に手渡す。この場合、容器セット部９に戻された球収納容器１０は軽くなっているので、図５（ｂ）に示すように、連絡スイッチ１２がオンすることはない。
【００４７】
以上説明したように本実施形態では、球収納容器１０を装着部６１に装着するだけで該装着に連動して排出状態に切り換えることができるので、パチンコ機５に対座して遊技している遊技者がワゴンサービス１１を呼びたくなったとき、球収納容器１０を装着部６１に装着することで該球収納容器１０に皿ユニット３２から遊技球Ｂａを投入し、景品交換に必要な所定数の遊技球Ｂａを簡単に取り分けることができる。このため、遊技者に呼ばれたワゴンサービスの担当員は、球収納容器１０を遊技者から受け取るだけで、景品交換に必要な所定数の遊技球Ｂａを容易に取得することができ、従って、遊技者と担当員の双方にとって景品交換作業が簡便になり、景品交換に要する時間を短縮することができる。
【００４８】
また、遊技者がワゴンサービス１１を呼んで景品交換しようと思ったとき、自身が遊技しているパチンコ機５の装着部６１に球収納容器１０を挿入して一方向に回動させるだけで、皿ユニット３２から遊技球排出路６７を介して遊技球Ｂａを受け得る状態に極めて簡単に装着することができ、遊技者による景品交換時の作業をより簡便にすることができる。
【００４９】
更に、球収納容器１０が、容器本体１０ｃの中心軸１３を中心に旋回するように遊技球進入口１０ａから底部１０ｂに向かって延びる螺旋部１５を有し、遊技球進入口１０ａから進入した先頭の遊技球Ｂａが螺旋部１５を経由して底部１０ｂに到達した状態で最後尾の遊技球Ｂａが遊技球進入口１０ａの近傍にあるとき所定数となるように構成されるので、所定数の遊技球の取り分け作業を一層簡単化できる。
【００５０】
また、球収納容器１０を皿ユニット３２に着脱するバヨネット機構が、装着部６１及び球収納容器１０にそれぞれ設けられた係合溝６４ａと係合爪１７とからなるので、係合溝６４ａ及び係合爪１７を装着部６１及び球収納容器１０にそれぞれ設けるだけで、球収納容器１０を容易にかつ確実に着脱し得る機構が簡単に実現できる。なお、係合溝６４ａと同様の機能を奏する溝を球収納容器１０側に形成し、係合爪１７と同様の機能を奏する爪を装着部６１側に形成することによっても、同様の作用効果が得られることは勿論である。
【００５１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５２】
【図１】本発明に係るパチンコ機を配備した遊技島設備を示す図であり、（ａ）は遊技島設備全体を示す図、（ｂ）は呼出し表示パネルを示す正面図である。
【図２】球収納容器を装着した状態で示すパチンコ機の正面図である。
【図３】球収納容器を外した状態の皿ユニット及びその近傍を示す正面図である。
【図４】球収納容器を装着した状態の皿ユニット及びその近傍を示す正面図である。
【図５】球収納容器等を詳細に示す図であり、（ａ）は球収納容器を収容する容器セット部を示す正面断面図、（ｂ）は容器セット部に球収納容器を収容した状態を示す正面断面図、（ｃ）は所定数の遊技球を収容した球収納容器を容器セット部に収容した状態を示す正面断面図である。
【図６】球収納容器を詳細に示す斜視図である。
【図７】所定数の遊技球を収容した球収納容器を詳細に示す斜視図である。
【図８】ワゴンサービス呼出しシステムの変形例を示す図である。
【符号の説明】
【００５３】
５    遊技機（パチンコ機）
１０    球収納容器
１０ｂ    底部
１０ｃ    容器本体
１３    中心軸
１５    螺旋部
１７，６４ａ    バヨネット機構（係合溝、着脱部(係合爪)）
２６，２７    遊技機本体（筐体、前扉）
３２    受け皿（皿ユニット）
５９    切換え手段（開閉部材）
６１    装着部
６７    遊技球排出路
Ｂａ    遊技球
【図１】
2007190057.tif 000003
【図２】
2007190057.tif 000004
【図３】
2007190057.tif 000005
【図４】
2007190057.tif 000006
【図５】
2007190057.tif 000007
【図６】
2007190057.tif 000008
【図７】
2007190057.tif 000009
【図８】
2007190057.tif 000010